(57)【要約】      （修正有）【課題】キーホルダーを鞄やポケット等に入れた場合に生じる、他の収納品と紛れてしまう不都合やあるいは出し入れの手間と時間を軽減し、かつ紛失の可能性も軽減し、さらに、キーホルダーの装着時の不快感が少なく、キーの使用時には邪魔にならないキーホルダーを提供する。【解決手段】キー係止用リング２とスイベル３と装着部で構成され、前記装着部は、しなやかでかつ厚みをもつ丈夫な皮革などの素材を複数枚重ね合わせた装着部本体５と、装着部本体５の上部に固定された正面から見るとＵ字型の金属製の前側の挟み板および後側の挟み板のＵ字型の開口部の間に設置され、かつ、装着部本体５の連続した上部へ凸型に突出する接続部７からなり、さらに挟み板６と装着部本体５との間にできた間隙にズボンを着用する際に使用するベルト９などに挟んで固定するキーホルダー。【選択図】図１
0003148070.tif 000002
【実用新案登録請求の範囲】
【請求項１】
キー係止用リング（２）とスイベルやナス環などの連結部材（以下、これらの連結部材を「スイベル」という。）であるスイベル（３）と装着部（４）で構成され、この装着部（４）は、しなやかでかつ厚みをもつ丈夫な天然皮革や合成皮革などからなる素材を複数枚重ね合わせた装着部本体（５）と、装着部本体（５）に固定された金属製のＵ字型の挟み板（６）および挟み板（６）のＵ字型の開口部の間に設置され、かつ、装着部本体（５）と連続した凸型の突出部である接続部（７）から成り、さらに挟み板（６）と装着部本体（５）との間に出来た間隙（８）にズボンなどを着用する際に使用しているベルト（９）などを挟み固定出来ることを特徴とするキーホルダー（１）。
【請求項２】
挟み板（６）の素材を弾性を持つ金属から形成し、Ｕ字型の下端を折り曲げて装着部本体(５)に接する程度に突起(１０)を設け、挟み板(６)をクリップ状にしたことを特徴とする請求項１に記載のキーホルダー（１）。
【請求項３】
キー係止用リング（２）に短いチェーン（１１）やトチ環などの連結金具（１２）を介してベルト（９）などを固定する補助クリップ（１３）をさらに連結して備えたことを特徴とする請求項１または請求項２のキーホルダー（１）。
【考案の詳細な説明】
【技術分野】
【０００１】
本考案は、ズボンあるいはスカートのベルトなどに装着することにより、携行および使用に便利なキーホルダーに関する。
【背景技術】
【０００２】
外出時には、住宅や車両などの鍵（以下、「キー」という。）を持ち歩く必要がある。しかし、キーを単体で持ち歩くと紛失しやすいので、必要なキーをまとめてキーホルダーに装着して持ち歩く人がほとんどであり、このためにキーホルダーは必需品であり、使用頻度も極めて高い物品である。
【０００３】
ところで、このキーホルダーのタイプとして、従来よりケース型キーホルダーや、装着部材の所用箇所にキーを連結する連結部を設けてキー係止用リングとし、このキー係止用リングにキーを連結したキーホルダーが広く知られ使用されている。
【０００４】
従来、この種のキーホルダーを携行するには、通常、鞄やポケットなどに入れておく必要がある。しかし、鞄に入れておく場合、キーホルダーが他の収納物と混ざって収納される。このためにキーホルダーを取り出すときに、捜しだす手間や時間もかかり、また、いつも鞄を携帯していなければならない。ポケットに入れておく場合には、他の収納物と紛れてしまう上に、他のものと一緒に出てしまったり、活動しているうちにポケットから落してしまうなど、紛失する危険性も極めて高い。
【０００５】
ところで、鞄の中でキーホルダーが他の収納物と紛れてしまうという不都合を解決しようとしたキーホルダーとして、鞄の縁などに噛ませて使用するクリップ式のもの（例えば、特許文献１、特許文献２参照。）や、ベルトに巻きつけて、金具で留めるもの（例えば、特許文献３参照。）や、ベルトに装着するがキー使用時にベルトから外す手間を軽減したもの（例えば、特許文献４参照。）などが提案されている。
【０００６】
しかしながら、特許文献１や特許文献２は、鞄を常に持ち歩く人などには有用であるが、手ぶらで出掛けることの多い人には不向きである。また、特許文献３のようにベルトに巻きつけて金具で留めてしまうものでは、キーを使うときにベルトから外す手間がかかり、面倒である。さらに特許文献４の形態では、例えば車両のキーなどのようにキーを差したまま使用する場合には、ベルトからベルト装着部材を取り外す必要がある。このために、手間の軽減効果は得られない上に、長い紐帯などがあり、この紐帯が邪魔になる。また、ベルト装着部材が全て金属製であるため、身体に接する部分が硬く、装着したまま座るなどした場合に身体に当たって不快感を生じる。
【０００７】
【特許文献１】特開２００１−３０３８１１号公報
【特許文献２】特開平１１−１８９１３号公報
【特許文献３】特開平０９−５６５６８号公報
【特許文献４】実案３００９７６９号公報
【考案の開示】
【考案が解決しようとする課題】
【０００８】
本考案が解決しようとする課題は、キーホルダーを鞄やポケット等に入れた場合に生じる、他の収納品と紛れてしまう不都合やあるいは出し入れの手間と時間を軽減し、かつ紛失の可能性も軽減し、さらに、キーホルダーの装着時の不快感が少なく、キーの使用時には邪魔にならないキーホルダーを提供することにある。特に、鞄を持たずに出掛けることの多い人でベルトをしている、例えば男性などの人に便利なものとしたキーホルダーを提供することにある。
【課題を解決するための手段】
【０００９】
上記の課題を解決するための本考案の手段は、請求項１の考案では、キー係止用リング２と例えばスイベルやナス環などの連結部材（以下、これらの連結部材を「スイベル」という。）であるスイベル３などと装着部４で構成され、前記装着部４は、しなやかでかつ厚みをもつ丈夫な例えば、皮革などの素材を複数枚重ね合わせた装着部本体５と、正面から見るとＵ字型に形成され装着部本体５に固定された金属製の挟み板６および挟み板６のＵ字型の開口部の間に設置され、かつ、凸型の装着部本体５の連続した突出部である接続部７から成り、さらに挟み板６と装着部本体５との間に出来た間隙８にズボンなどを着用する際に使用しているベルト９などを挟み固定できるキーホルダー１である。
【００１０】
装着部本体５の素材としては、天然皮革や合成皮革が使用できるが、適度な厚みや強度などを満たすように芯素材やコーティング素材などと重層した布なども使用できる。連結部材３は、スイベルの外に丸環などを組み合わせるなどして複数が使用できる。
【００１１】
請求項２の考案では、挟み板６の素材に弾性を持つ金属を使用し、挟み板６の下端をＵ字型に折り曲げ成型して、装着部本体５に接する程度に突起１０を設け、挟み板６をクリップ形状とした請求項１の手段のキーホルダー１である。
【００１２】
請求項３の考案では、キー係止用リング２に短いチェーン１１や例えば、トチ環などの連結金具１２を介してベルト９などを固定する補助クリップ１３をさらに連結して備えた請求項１または請求項２の手段のキーホルダー１である。
【考案の効果】
【００１３】
本考案の効果は、キーホルダーの装着部に挟み板を設置することにより、ベルトに固定でき、その結果、鞄やポケット等に入れた場合に生じる、他の収納品と紛れてしまう不都合や出し入れの手間と時間を大幅に軽減することが出来る。挟み板はＵ字型で幅広いのでベルトへ安定して固定され脱落し難いので、キーの紛失の可能性も軽減される。さらに挟み板をクリップ状にし、さらに補助クリップを連結すれば、ベルトからより一層に脱落し難くなり、さらに紛失を防ぐことが出来る。
【００１４】
さらに挟み板をＵ字型に折り曲げたことにより、接続部は装着部本体と連続して形成できるという利点があり、この結果、接続部は別のパーツとして設置するよりも耐久性のある構造となっている。また、キーホルダーの構成は比較的シンプルであり、全体の大きさや長さは車両などのキーの使用時にも邪魔にならず、ベルト装着時以外でも普通のキーホルダーとして違和感の無いデザインとすることができる。一方、身体に接する側は皮革などのしなやかな素材を使用するので、キーホルダーを腰のあたりに装着しても、装着時の不快感が少ない。
【００１５】
これらの特徴を備えた結果、特に、鞄を持たずに出掛けることが多い男性など、ベルトをしている人にとって便利なキーホルダーとなっている。当該キーホルダーは、ある程度厚みと強度のある部材であれば、それらの側縁部を挟持させて取り付けできるので、ベルトだけでなく、鞄や和装の帯などの側縁部にも適用できる。
【考案を実施するための最良の形態】
【００１６】
以下、本考案を実施するための最良の形態について、添付の図面を参照して説明する。ところで、図１は本考案に係るキーホルダー１をベルト９に装着した状態を示す斜視図である。図２は本考案に係るキーホルダー１とキー係止用リング２の正面図で、この図２ではキー係止用リング２はキーホルダー１と未だ連結していない状態である。図３は本考案に係るキーホルダー１の装着部４の側面図で、挟み板６の先端側と装着部本体表側片５ｂの間は間隙８が形成されている。図４は本考案に係るキーホルダー１において、先端側に突起１０を設け挟持部とした突起１０を形成した挟み板６を有する装着部４の側面図である。図５は本考案に係るキーホルダー１おいて、挟み板６の先端側と装着部４との間をクリップ状に狭めた間隙８を有する２種の装着部４を示す側面図である。図６は本考案に係るキーホルダー１の挟み板６を構成する金属板１４の展開図である。図７は本考案に係るキーホルダー１の装着部本体５を構成する装着部本体の表側片５ｂと裏側片５ａと中芯１５の３枚の部材の正面図である。図８は本考案に係るキーホルダー１の装着部４を作成する中芯１５および挟み板６を装着部本体５に配設する手順を示した斜視図である。
【００１７】
図２に示すように、このキーホルダー１はキー係止用リング２と、例えばスイベルやナス環などの連結部材３と装着部４で構成されている。この装着部４はしなやかでかつ厚みをもつ丈夫な、例えば皮革などの素材を複数枚張り合わせて形成した装着部本体５からなっている。さらに装着部本体５には、表正面から見るとＵ字型に形成され金属製の挟み板６を有し、この挟み板６のＵ字型の開口部の間の上部には、装着部本体５と連続した凸型の突出部である接続部７が形成されており、この接続部７に上記の金属製のスイベルやナス環などの連結部材３が取り付けられ、このスイベルなどからなる連結部材３に係合した上記のキー係止用リング２からキーホルダー１が形成されている。
【００１８】
上記の挟み板６を作成するためには、図６のような長手方向の約半分まで方形の孔１４ａを開口した長方形の薄い弾性を持つ金属板１４を、折り曲げ線１６と折り曲げ線１７において二度の山折りをして、挟み板６の図８に示すＵ字状部６ａを形成するための図６の方形の孔１４ａを有する金属板１４の端部に図に示す突起１０を成形する。さらに図６において折り曲げ線１８と折り曲げ線１９においてコの字型に山折り成型して、図８にみられる挟み板６のＵ字状部６ａと板状部６ｂを形成する。挟み板６の成型後の長さは３ｃｍ〜５ｃｍ、幅は２ｃｍ〜５ｃｍとなるものとすることが望ましい。
【００１９】
装着部本体５には、図７に示すように、厚さ１〜２ｍｍ程度の皮革や塩化ビニル等を素材とする装着部本体裏側片５ａおよび装着部本体表側片５ｂと、ベルトなどに通常使用される屈曲可能な皮革からなる中芯１５を使用する。
【００２０】
ここで、装着部本体５に挟み板６を組み合わせて一体化する方法を説明する。図８に示すように、先ず、接続部７ａおよび接続部７ｂのある上部を除いて、装着部本体裏側片５ａおよび装着部本体表側片５ｂの周囲を縫合線２４に沿って縫い合わせあるいは貼り合わせる。この縫い合わせたあるいは張り合わせた装着部本体裏側片５ａと装着部本体表側片５ｂの間に、中芯１５を矢印方向に装着する。さらに装着部本体表側片５ｂの側に挟み板６のＵ字状部６ａが位置し、装着部本体裏側片５ａの側に挟み板６のＵ字の部分の反対側の板状部６ｂが位置するようにして、装着部本体裏側片５ａと装着部本体表側片５ｂの間に挿入する。次いで、これらの間をリベット２０およびリベット２１で装着部本体５として一体化して固定する。さらに装着部本体５については、縫合線２４の始点および終点の部分をリベット２１により固定して強化する。
【００２１】
この場合、装着部４の大きさとして、長さは５ｃｍ〜１２ｃｍ、望ましくは６ｃｍ〜１０ｃｍで、幅は２ｃｍ〜５ｃｍ、望ましくは、３ｃｍ〜４ｃｍとする。さらに間隙８は３ｍｍ〜７ｍｍ、望ましくは４ｍｍ〜６ｍｍとする。
【００２２】
次に、図８に示す接続部７ａに、図２に示すスイベル３を、図８に示す折曲げ線７ｃで巻き込んで、接続部７ａを接続部７ｂに被せ、図２に示すように、接続部７ａと接続部７ｂをリベット２２により固定してこれらを一体化する。
【００２３】
さらにスイベル３にキー係止用リング２を通して連結してぶら下げる。この場合キーホルダー１をより強固にベルト９に取り付け可能とするために、図１の（ｂ）に示すように、キー係止用リング２に短いチェーン１１や回転作用を有するトチ環などからなる連結部材１２を介してベルト９に装着固定するための補助クリップ１３を連結してもよい。
【００２４】
キー２３を本考案のキーホルダー１に連結する際には、キー係止用リング２にキー２３の握り部に設けた孔２３ａを通して連結する。図１に示すように、キーホルダー１をベルト９へ装着する際には、ベルト９の裏側に装着部本体５が接するように、かつ、表側に挟み板６が接するように、ベルト９の上方から差し入れ、ベルト９を挟み込んで固定する。さらに、挟持用のＵ字状の補助クリップ１３をチェーン１１の先端のトチ環からなる連結部材１２に付属して有する場合は、装着部４付近のベルト９の下方からＵ字状の補助クリップ１３を装着することで、キー係止用リング２を上方に抜こうとしても確実に抜くことを防止することができる。
【００２５】
また、キーホルダー１をベルト９に装着した時には、スイベル３と、キー係止用リング２と、および連結したキー２３は装着部４およびベルト９の前に垂れ下がった状態となるが、装着部４が天然皮革などの柔軟な部材から形成することで、腰部に当接しても違和感を与えず身体にも極めて優しく当たる。
【図面の簡単な説明】
【００２６】
【図１】本考案に係るキーホルダー１をベルト９に装着した状態を示す斜図である。
【図２】本考案に係るキーホルダー１の正面図（キー係止用リング２は連結していない）である。
【図３】本考案に係るキーホルダー１の装着部４の側面図である。
【図４】本考案に係るキーホルダー１において、挟み板６に突起１０を設置した場合の装着部４の側面図である。
【図５】本考案に係るキーホルダー１において、挟み板６をクリップ状にした場合の別の実施形態における装着部４の側面図である。
【図６】本考案に係るキーホルダー１の挟み板６を構成する金属板１４の展開図である。
【図７】本考案に係るキーホルダー１の装着部本体５を構成する３枚の部材の正面図である。
【図８】本考案に係るキーホルダー１の装着部４を作成する際の中芯１５および挟み板６を設置する手順を示した斜図である。
【符号の説明】
【００２７】
１  キーホルダー
２  キー係止用リング
３  スイベル（連結部材）
４  装着部
５  装着部本体
５ａ  装着部本体裏側片（身体に接する側）
５ｂ  装着部本体表側片（ベルトに接する側）
６  挟み板
６ａ  Ｕ字状部
６ｂ  板状部
７  接続部
７ａ  接続部（５ａに属する）
７ｂ  接続部（５ｂに属する）
７ｃ  折曲げ線
８  間隙
９  ベルト
１０  突起
１１  チェーン
１２  連結部材（トチ環）
１３  補助クリップ
１４  金属板
１４ａ  方形の孔
１５  中芯
１６  折り曲げ線
１７  折り曲げ線
１８  折り曲げ線
１９  折り曲げ線
２０  リベット（挟み板固定用）
２１  リベット（接続部固定用）
２２  リベット（装着部本体固定用）
２３  キー
２３ａ  孔
２４  縫合線
【図１】
0003148070.tif 000003
【図２】
0003148070.tif 000004
【図３】
0003148070.tif 000005
【図４】
0003148070.tif 000006
【図５】
0003148070.tif 000007
【図６】
0003148070.tif 000008
【図７】
0003148070.tif 000009
【図８】
0003148070.tif 000010